(57)【要約】【課題】全長４ミリに満たない毛鉤を巻く時、視力の衰えた人には難儀であり、焦点を合わせる為に拡大鏡を遠近させる動作があり、人それぞれに合った焦点距離で照らされている毛鉤の照度が一定に保てなく、照明を当てれば光源の発熱で肌が暑く、器具が大きいことは大きすぎて作業環境を狭くし、小さなものを照らすのに大きな電力を使うことが課題。。【解決手段】台座に可とう管の一端がナットにて堅固に締め付けてあり、該その可とう管が上方に伸びており、該その端に角度を調整する器具が取り付けてあり、該その先に拡大鏡が取り付けてあり、該その拡大鏡の片面の外枠に複数の点光源を設けた照明器具が取り付けてあり、該複数の点光源の光軸を拡大鏡中心軸の焦点近傍方向に指向させて集光し、該光源の発熱が肌に感じないことを特徴とする拡大部を照明する装置。【選択図】 図１
2007187940.tif 000002
【特許請求の範囲】
【請求項１】
台座に可とう管の一端がナットにて堅固に締め付けてあり、該その可とう管が上方に伸びており、該その端に角度を調整する器具が取り付けてあり、該その先に拡大鏡が取り付けてあり、該その拡大鏡の片面の外枠に複数の点光源を設けた照明器具が取り付けてあり、該複数の点光源の光軸を拡大鏡中心軸の焦点近傍方向に指向させて集光し、該光源の発熱が肌に感じないことを特徴とする拡大部を照明する装置。
【発明の詳細な説明】
【技術分野】
【０００１】
世の中でアウトドアーの釣りの分野でフライフィッシング、テンカラ釣りの領域において、自分で巻いた毛鉤を使用して、木漏れ日とそよ風の中での渓流、川等の場所で大小を問わず狙った魚が釣れれば至福のひと時を楽しむことができる。この方法での釣りにおいては自分で巻いた毛鉤で魚を釣ることに大きな意味と喜びがある。世の中には裸眼の人もいればメガネ装着あるいはコンタクトレンズ使用の方もおられて、視力の強弱、焦点距離の遠近も様々である。このような条件の下でフライフィッシング、テンカラ釣りに使用する毛鉤の中には全長４ミリに満たない極小の毛鉤がある。この毛鉤を巻く時に、視力の衰えた人には難儀であり、羽と糸との微細な絡み具合、巻き具合が見えにくいために毛鉤を綺麗に虫らしく巻けないのが現実である。これを細部にわたり綺麗に仕上げて、いかにも虫らしく見えるように巻き魚を釣って満足したいと思うのは、フライフィッシング、テンカラ釣りをする人であれば誰もが思うことである。
【背景技術】
【０００２】
従来の背景技術には、拡大部を照明している装置の文献として、実開昭６２−７４２１３号の拡大レンズ付照明器具、実開昭６２−７４２１４号の検査用照明器具、実開昭６２−７４２１５号の拡大鏡照明器具、あるいは実開昭６２−７４２１６号拡大鏡付照明器具等についての拡大部を照明する装置としては、いずれも光源が蛍光灯であるので発熱が肌に感じることと、外箱が腕に当たり大きすぎても邪魔という知覚が発生し、光軸を拡大鏡中心軸の焦点近傍方向に指向させて集光しているとは記してないところが相違点である。（特許文献１，２，３，４参照。）。又、特開２００４−１６３５２４号の照明付拡大鏡は照明の方法がＬＥＤを使用しているのは似ているが、単方向に照射していて光軸を拡大鏡中心軸の焦点近傍方向に指向させて集光しているとは記してないところが相違点である。（特許文献５参照。）。また特開平１０−７８１９４号のフレキシブルルーペについては、観察対象物を照らすためのライトが配設されていると記してあるが、単方向に照射していて光軸を拡大鏡中心軸の焦点近傍方向に指向させて集光しているとは記してないところが相違点である。（特許文献６参照。）。特開２００２−１４８５２７号のスタンド型拡大鏡については、光源が蛍光灯であるので発熱が肌に感じることと、光軸を拡大鏡中心軸の焦点近傍方向に指向させて集光しているとは記してないところが相違点である。（特許文献７参照。）。実開平０１−５７７１３号の拡大鏡については、単方向に照射していて光軸を拡大鏡中心軸の焦点近傍方向に指向させて集光しているとは記してないところが相違点である。(特許文献８参照。）。登録実用３０５４４１７号の照明付拡大鏡については、光軸を拡大鏡中心軸の焦点近傍方向に指向させて集光しているとは記してないところが相違点である。（特許文献９参照。）。特表２００５−５２５５８９号の可変色ＬＥＤを備えた拡大光学系については、照明を最適なコントラストに設定するために、カラー三原色を駆動するのに色制御スイッチにてオン、オフを行っていると記してあるが、光軸を拡大鏡中心軸の焦点近傍方向に指向させて集光しているとは記してないところが相違点である。（特許文献１０参照。）。特開２０００−２７６９０２号の照明具及びそれを用いた表面検査方法は分散、散光であり集光と言えども一点集中ではなく照明の当て方が基本的に違い、光軸を拡大鏡中心軸の焦点近傍方向に指向させて集光しているとは記してないところが相違点である。（特許文献１１参照。）。以上のように先行技術には、照明を当てれば光源の発熱で暑く、器具が大きいことは、大きすぎて作業環境を狭くし、小さなものを照らすのに大きな電力を使うことが背景として存在する。
【特許文献１】実開昭６２−７４２１３号公報
【特許文献２】実開昭６２−７４２１４号公報
【特許文献３】実開昭６２−７４２１５号公報
【特許文献４】実開昭６２−７４２１６号公報
【特許文献５】特開２００４−１６３５２４号公報
【特許文献６】特開平１０−７８１９４号公報
【特許文献７】特開２００２−１４８５２７号公報
【特許文献８】実開平０１−５７７１３号公報
【特許文献９】登録実用３０５４４１７号公報
【特許文献１０】特表２００５−５２５５８９号公報
【特許文献１１】特開２０００−２７６９０２号公報
【発明の開示】
【発明が解決しようとする課題】
【０００３】
フライフィッシング、テンカラ釣りに使用する毛鉤を巻く時に全長４ミリにも満たない極小の毛鉤があり、これをいかにして虫らしく見えるように仕上げるか十人十色で巻いているのがこの分野で釣りをする人なのである。この毛鉤を巻く人の中には裸眼で視力の弱い人、メガネ装着の人、またはコンタクトレンズを使用の人、老眼の人さまざまで、人それぞれ焦点距離の違いもあり、視力の衰えた人には難儀であり、羽と糸との微細な絡み具合、巻き具合が見えにくいために毛鉤を綺麗に又虫らしく巻けないのである。人それぞれ視力の焦点距離に違いがある時、拡大鏡から覗いて見た毛鉤に焦点を合わすために、多少拡大鏡を遠近させる動作がある。拡大鏡を遠近させれば照明器具も遠近するので、光源からの距離が長くなれば照らされている毛鉤は暗くなり、短くなれば照らされている毛鉤は明るくなる。その時人それぞれの焦点距離に合う所で毛鉤の明かりがほぼ一定であれば、焦点距離は違えど照度を調整する必要がなく使う人の状況に合うことが課題であり、小さいものを照らすには小さい器具で必要最小限の大きさと照明があれば用は足りるのであって、器具自体が大きすぎることは使いにくく器具の外箱が、手又は腕に当たり毛鉤を巻くための作業環境を狭くして作業効率が低下し、大きすぎても邪魔という知覚が発生することも課題である。又蛍光管等使用した場合は発熱があり、毛鉤を巻く為に照明を手元に当てれば光源の発熱で肌が暑く感じられ、夏季の室温の高い時期などは暑くて使いづらく我慢しながら使っているのが現状の課題である。照明があれば良いというのではなく、小さなものを照らすのに電力を沢山使うということは電気がもったいないことが課題である。
【課題を解決するための手段】
【０００４】
そして本発明は上記目的を達成する為に、台座に可とう管の一端がナットにて堅固に締め付けてあり、該その可とう管が上方に伸びており、該その端に角度を調整する器具が取り付けてあり、該その先に拡大鏡が取り付けてあり、該その拡大鏡の片面の外枠に複数の点光源を設けた照明器具が取り付けてあり、該複数の点光源の光軸を拡大鏡中心軸の焦点近傍方向に指向させて集光し、該光源の発熱が肌に感じないことを特徴とする拡大部を照明する装置。
【発明の効果】
【０００５】
本発明のこのような構成によれば、視力の衰えた人でも全長４ミリに満たない毛鉤を、拡大して照明を拡大鏡中心軸の焦点近傍方向に指向させて集光して照らしてみると、拡大鏡を覗いて見た時毛鉤全体に光が当たり拡大像の影を解消できて、綺麗にそして確実に巻くことができた。人それぞれ視力の焦点距離の違いある時、図４と図５のように光軸の角度を交互に角度を変えてある為に、拡大鏡を多少遠近させても毛鉤を照らしている照度を、ほぼ一定に保てる効果があり、どなたが使っても明るさを調整する必要はないのである。そして光源の発熱が光源の直近でも肌に感じないということは、ＬＥＤの先端から焦点近傍付近までは距離があり、焦点近傍付近で毛鉤を巻いていても発熱が肌に感じないことであり、夏季の室温の高い時期でも発熱を肌に感じない為に使いづらさを解消できて、使いやすくなる効果がある。この照明の為の電源は携帯電話機の充電用電源アダプターを利用したのである。携帯電話機の機種変更のときには、この部品は廃品となっているのが現実で、小さな毛鉤を巻く為に大きな装置は必要なく、又大きな蛍光灯を使い大きな電力も必要なく、小さな装置と小さな電力で済むということは省エネルギーの効果がある。これを再利用することで、世間でいうもったいないの言葉を実践できることでもあり、資源のリサイクル化に貢献でき、またゴミの減量化にも貢献できることは資源の節約にもつながるし、ひいては地球環境を守ることにもつながる。
【発明を実施するための最良の形態】
【０００６】
本発明の実施の形態を貼付図面、図１、図２、図３で拡大部を照明する装置の各図面に従っておおまかに説明する。図１で符号１の台座に符号２の可とう管の一端が、図３の符号３の台座側ナットで堅固に締め付けてあり、図１でその可とう管は上方に伸びており、その端には符号５の角度調整器具が符号４の角度調整器具側ナットにて取り付けてあり、その先端には符号６の拡大鏡がとりつけてあり、その片面には符号７の照明器具が符号８の縛り紐にて堅固に取り付けてあり、図２の符号６の拡大鏡の支持部内のセンター穴から、符号９のプラスと符号１０のマイナスの電線の２本の細い電線を通し、次に図３の符号５の角度調整器具のセンター穴を通し、次に符号２の可とう管の中を通し、符号１の台座まで配線して、図１で符号１６の電源アダプターから出ている符号１１の電源線を符号１２の電源線引き込み口から、図３で符号１１の電源線を引き込み、符号１３の台座のザグリ部内で電源線と負荷を接続したものである。
【実施例】
【０００７】
図１は本発明の全体図であって、実際に製作し毛鉤を巻いて渓流での使用状況に至るまでのことを順序を追って、図１から図１１までの要所を指しながら詳細に説明する。図１で符号１の台座に符号２の可とう管の一端が、図３で符号３の台座側ナットで堅固に締め付けてあり、その可とう管は上に伸びており、図１で可とう管の端には符号５の角度調整器具が符号４の角度調整器具側ナットにて取り付けてあり、符号５の角度調整器具の先端には符号６の直径１０４φの拡大鏡が取り付けてあり、その片面には符号７の照明器具が符号８の縛り紐にて堅固に取り付けてあり、図２の符号７の照明器具から符号９の電線は赤い色でプラス、符号１０の電線は黒い色でマイナスと区別し、合計２本の細い電線を引き出し、図３でこの電線の被服が、符号６の拡大鏡の支持部内、符号５の角度調整器具内、また符号２の可とう管の中で金属部分に直接接触することのないように、収縮チューブ、あるいはビニールパイプ等で表面を保護して安全な器具となるようにしっかりと絶縁しておき、この電線を図３で符号６の拡大鏡の支持部内のセンター穴を通し、次に符号５の角度調整器具のセンター穴を通し、次に符号２の可とう管の中を通し、次に符号１３のザグリ部内より外部に引き出しておき、符号１２の電源線引きこみ口から符号１１の電源線を引き込み、この電源線が外からの思いがけない張力があった時に抜けないように符号１５の引き止め具を取り付け、符号１３の台座のザグリ部内で、符号１１の電源線のプラスは符号２９の負荷電圧設定用固定抵抗器の電源側に接続し、負荷電圧設定用固定抵抗器の負荷側は符号１４のフューズホルダーの電源側と接続し、フューズホルダーの負荷側と符号９のプラス側の赤い電線とを接続してあり、符号１１の電源線のマイナスは符号１０のマイナス側の黒い電線と接続したものである。
【０００８】
次にザグリ部内の部品の固定方法を図１１により説明する。符号６０のブラケットに符号６１の配線基板を符号６４のボルトにて取り付け、符号２９の負荷電圧設定用固定抵抗器を符号６１の配線基板の符号６２の抵抗器取り付け用上側穴と符号６３の抵抗器取り付け用下側穴に差込み、符号６２の抵抗器取り付け用上側穴に符号１７の電源のプラス側電線も差し込み裏から一緒にハンダ付けし、その抵抗器の負荷側の符号６３の抵抗器取り付け用下穴に符号１４のフューズホルダーの電源側を差込み裏から一緒にハンダ付けし、符号１４のフューズの負荷側には符号９の赤色プラス側電線を接続してある物を符号６０のブラケット取り付け穴に符号２のネジ部を挿入して符号３のナットで堅固に締め付けたものである。符号１４を片持ちにしている理由はフューズが溶断した場合に取替え易くする為の工法である。
【０００９】
次に、ＬＥＤから放出される光を、拡大鏡中心軸の焦点近傍方向に指向させて集光している様子を、図１，図２の要所を指しながら説明する。図１の全体図は、符号２８の光軸を実線で表示して毛鉤を照らしている状況を示したものである。図２は拡大鏡を覗いたときに、毛鉤が見える状況を示したものである。この時の位置関係を説明しておく。まず人間の目があり、すこし離れた位置に符号６の拡大鏡があり、続けて次に符号７の照明器具があり、すこし離れた所の焦点近傍付近に符号３０の毛鉤が明るく影のない状態でよく見える位置に存在する。
【００１０】
次に、図４と図５で、拡大鏡を多少遠近させたときでも毛鉤を照らしている照度を、ほぼ一定に確保できる仕組みを説明する。世の中には裸眼の人もいれば、メガネ装着あるいはコンタクトレンズ使用の方もおられて、視力の強弱、焦点距離の遠近も人さまざまである。このような状況に合わせる為に、ＬＥＤを取り付ける角度を全部を同じにすることなく、交互にすこし角度をずらす工夫をした。図４と図５の要所を指しながら詳細に説明する。説明する条件として、符号７の照明器具の下端から、符号３０の毛鉤までの距離は、図４、図５共に同じ距離にあるとする。図４のＡ−Ａ矢視から見た断面図の場合、符号２８の光軸の交点が符号３０の毛鉤より上にあるように設置角度を決める。そして拡大鏡の支持部を平面上で左に４５度回転させると図５の位置でのＢ−Ｂ矢視から見た断面図の場合、符号２８の光軸の交点が符号３０の毛鉤より下にあるようにＬＥＤの設置角度を決める。この方法で複数回交互にＬＥＤの設置角度を決めることにより、拡大鏡を多少遠近させても毛鉤を照らしている照度は、ほぼ同程度の明るさを確保できるのである。
【００１１】
次に符号７の照明器具内にＬＥＤを設置している状況を図４、図５、図６、図７、図８、図１０にて説明する。図７で符号７の照明器具本体の材料はアクリル、外径１１０φ、内径９４φ、直径８φのリング状のもので、図６で符号１９のＬＥＤの取り付け穴を複数個ボール盤で斜めに貫通させて、符号２３の角度を決めるための隙間を極小グラインダーで作り、次に図８でＣ−Ｃ矢視から見た断面図で、符号２４のプラス側の電源の銅線が入る溝をリングの外周の最大径の位置にぐるりと一周加工し、次に符号２５のマイナス側の電源の銅線が入る溝を照明器具の外径と照明器具の内径の中心で上側の位置にぐるりと一周加工し、図１０で符号７の照明器具本体を符号４１の光軸の交点設定用冶具の受け台に三点支持にて取り付け、図６で符号２０のＬＥＤを符号１９の取り付け穴に挿入して、図１０で符号２６のＬＥＤのプラス側リード線に符号５１の仮電源のプラスをワニグチグリップで接続し、符号２７のＬＥＤのマイナス側リード線に符号５２の仮電源のマイナスをワニグチグリップで接続してＬＥＤを仮点灯して光軸を焦点近傍方向に向けて、図４のＡ−Ａ矢視の断面図の場合、符号２８の光軸の交点が符号３０の毛鉤より上にあるように設置角度を、図１０で符号４２の光軸の交点が毛鉤より上に設定する円に光軸をあわせ接着剤にて固定する。そして図５の位置でのＢ−Ｂ矢視の断面図の場合、図６で符号２０のＬＥＤを符号１９の取り付け穴に挿入して、図１０で符号２６のＬＥＤのプラス側リード線に符号５１の仮電源のプラスをワニグチグリップで接続し、符号２７のＬＥＤのマイナス側リード線に符号５２の仮電源のマイナスをワニグチグリップで接続してＬＥＤを仮点灯して光軸を焦点近傍方向に向けて、図５で符号２８の光軸の交点が符号３０の毛鉤より下にあるようにＬＥＤの設置角度を、図１０で符号４３の光軸の交点が毛鉤より下に設定する円に光軸を合わせ接着剤にて固定する。この方法を交互に複数回繰り返し全てのＬＥＤを接着剤にて固定する。図６の符号２６のＬＥＤのプラス側リード線と符号２２の電源のプラス側銅線とをハンダ付けし、符号２４のプラス側の溝に入れ込み、次に符号２７のＬＥＤのマイナス側リード線と符号２１の電源のマイナス側銅線とをハンダ付けし、符号２５のマイナス側の溝に入れ込み、この作業を複数回実施して、プラス側は赤い電線を、マイナス側は黒い電線を接続したものを両方共に長くしておき、符号２４と符号２５の溝に各々電源線を溝に入れ込んだ後の窪みをなくす為、絶縁物を溶かし入れ、表面を丸く成形した後、このリングの外から内に向けてラッピングテープにて、半幅重ね巻きでグルグルと巻いていき見た目を良くするための表面処理を施す。ラッピングテープの緩み止めとしてウレタンを塗り乾いたところで、ＬＥＤから光の出る所をナイフにて綺麗に切り取り、再度そのリングをウレタンでコーティングしたものである。
【００１２】
次に角度調整器具の取り扱いを図９で説明する。今符号６の拡大鏡は符号５の角度調整器具を符号ＬのＬ方向に回転して拡大鏡は固定してあるものとする。拡大鏡の角度変更をするときは、左手で符号６の拡大鏡と照明器具を一緒に持ち、右手で符号５の角度調整器具を符号ＲのＲ方向に回転させるとネジが緩み、内部の締まりシロに隙間が発生し左手の拡大鏡と照明器具を作業者がおきにいりの角度に設定した後右手の符号５の角度調整器具を符号ＬのＬ方向に回転させるとネジが締まり、内部の締まりシロの隙間がなくなり符号６の拡大鏡をおきにいりの角度に変更できるのである。材料及び寸法を記しておく。材料は少しでも軽くする為にアルミとした。外径は２１φローレット仕上げ、長さは１２．５ミリメートルである。
【００１３】
次に、拡大部を照明する装置の具体的な寸法及び材料を、図３、図７の要所を指しながら明記する。図７で全体の大きさは、符号１の台座は縦１４０ミリメートル横１４０ミリメートル厚み２５ミリメートル材質は木材、符号２の可とう管は直径１４ミリメートル長さ３５０ミリメートル材質は一般的にいう所の金属のフレキシブルパイプ、符号７の照明器具は外形１１０φ内径９４φ直径８φ材質はアクリルのリング、符号６の拡大鏡は外形１０４φ外枠の幅１５ミリメートル外枠の厚み１．５ミリメートルで市販品の凸レンズ、図３で符号２９の負荷電圧設定用固定抵抗器は１５Ω２Ｗ、符号１４のフューズホルダーの中のフューズは１．０Ａである。図７で符号１６の電源アダプターは縦６１ミリメートル横４８ミリメートル厚み１６ミリメートルで入力仕様の入力電圧はＡＣ１００Ｖ、周波数は５０〜６０Ｈｚ、容量は１２ＶＡ、出力仕様の出力電圧はＤＣ５Ｖ、出力電流はＤＣ０．５５Ａであり、この照明器具の負荷電圧はＤＣ３．６Ｖ、負荷電流はＤＣ０．１６Ａである。ラッピングテープの幅は１１ミリメートル厚みは０．２ミリメートル材質はアセテート１００％色は水色である。総重量７７０グラムである。そして台座の底面には、符号３の台座のザグリ部の蓋の役目と、この装置をテーブルに置いた時にテーブル面に疵がつかない為とを兼ねて粘着つきフェルトを底面全体に貼り付けている。
【００１４】
次に点灯試験の結果を記す。この携帯電話機を充電する電源アダプターは本発明の拡大部を照明する装置の電源としては容量的には充分あり、４８時間の連続点灯試験をした結果、図６で符号２０のＬＥＤの発熱と図３の符号２９の負荷電圧設定用固定抵抗器の発熱も肌に感じられず、又電源アダプター本体の温度上昇も無く、毛鉤巻きに又一般家庭でも安心して使用できる拡大部を照明する装置を安価に世の中で役立つものとして提供できる。
【産業上の利用可能性】
【００１５】
この様に構成した拡大部を照明する装置は、毛鉤を巻く時に使用され、特に視力の衰えた人には目の届かない所に目が届く手助けとなり、そしてどなたにも安全で使いやすい装置を提供できる。巻いた毛鉤は木漏れ日とそよ風のなかでの渓流で、虫らしく見える毛鉤を水面に釣竿にてヒョイと投げるのである。そして魚が毛鉤を喰らい付く瞬間が目に見えて、毛鉤で魚を釣る醍醐味が味わえると共に、自分で巻いた毛鉤の楽しさが倍増する。そして釣れた魚は、キャッチアンドリリースを実践すれば日本古来の川、渓流の魚を後世に残すことになり、自然を大切にする基本にもなり、又人間のストレス解消にはもってこいのアウトドアーの釣りの分野である。又この装置の使い道として、一般家庭では見えにくい裁縫の縫い針の糸通し、あるいは質屋さんの質草の見極め等にも大いに役立ち喜ばれると思料します。
【図面の簡単な説明】
【００１６】
【図１】拡大部を照明する装置を示した全体図面である。
【図２】拡大鏡を覗いた時に光軸が毛鉤に向かう様子を示した図面である。
【図３】電源線の配線を示した図面である。
【図４】焦点近傍付近の光軸の交点が毛鉤より上にある場合のＬＥＤの設置角度を示した図面である。
【図５】焦点近傍付近の光軸の交点が毛鉤より下にある場合のＬＥＤの設置角度を示した図面である。
【図６】照明器具内にＬＥＤの設置を示した図面である。
【図７】拡大部を照明する装置を示した寸法図面である。
【図８】電源線の溝加工を示した図面である。
【図９】角度調整器具の取り扱いを示した図面である。
【図１０】ＬＥＤの角度を設定する方法を示した図面である。
【図１１】ザグリ部内の部品の固定方法を示す図面である。
【符号の説明】
【００１７】
１  台座
２  可とう管
３  台座側ナット
４  角度調整器具側ナット
５  角度調整器具
６  拡大鏡
７  照明器具
８  縛り紐
９  赤色プラス側電線
１０黒色マイナス側電線
１１電源線
１２電源線引きこみ口
１３台座のザグリ部
１４フューズホルダー
１５引き止め具
１６電源アダプター
１７電源のプラス側電線
１８電源のマイナス側電線
１９ＬＥＤの取り付け穴
２０ＬＥＤ
２１電源のマイナス側銅線
２２電源のプラス側銅線
２３角度を決める為の隙間
２４プラス側の電源の銅線が入る溝
２５マイナス側の電源の銅線が入る溝
２６ＬＥＤのプラス側リード線
２７ＬＥＤのマイナス側リード線
２８光軸
２９負荷電圧設定用固定抵抗器
３０毛鉤
４０光軸交点設定用冶具の支柱
４１光軸交点設定用冶具の受け台
４２光軸の交点が毛鉤より上に設定する円
４３光軸の交点が毛鉤より下に設定する円
５１仮電源プラス
５２仮電源マイナス
６０ブラケット
６１配線基板
６２抵抗器取り付け用上側穴
６３抵抗器取り付け用下側穴
６４ボルト
Ｌ  Ｌ方向
Ｒ  Ｒ方向
【図１】
2007187940.tif 000003
【図２】
2007187940.tif 000004
【図３】
2007187940.tif 000005
【図４】
2007187940.tif 000006
【図５】
2007187940.tif 000007
【図６】
2007187940.tif 000008
【図７】
2007187940.tif 000009
【図８】
2007187940.tif 000010
【図９】
2007187940.tif 000011
【図１０】
2007187940.tif 000012
【図１１】
2007187940.tif 000013
【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
台座と、該台座にその一端が該台座に取り付けられたナットにて堅固に締め付けられた可とう管と、該可とう管が上方に伸びており、該可とう管の上方に伸びている側の一端に取り付けられた角度調整器具と、該角度調整器具の先に取り付けられ、外枠を備える拡大鏡と、該拡大鏡の片面の外枠に取り付けられ、複数の発光ダイオードの点光源を設けた照明器具とをそれぞれ備え、該複数の発光ダイオードの点光源は、複数の設置角度で設けられ、該複数の発光ダイオードの点光源の各光軸は、拡大鏡中心軸の焦点近傍に指向させ、同じ設置角度の複数の発光ダイオードの点光源の各光軸の交点が該拡大鏡中心軸に位置し、該複数の設置角度毎に該交点の位置を異なるものとしたことを特徴とする拡大部を照明する装置。
【手続補正２】
【補正対象書類名】明細書
【補正対象項目名】０００４
【補正方法】変更
【補正の内容】
【０００４】
そして本発明の上記目的を達成する為に、台座と、該台座にその一端が該台座に取り付けられたナットにて堅固に締め付けられた可とう管と、該可とう管が上方に伸びており、該可とう管の上方に伸びている側の一端に取り付けられた角度調整器具と、該角度調整器具の先に取り付けられ、外枠を備える拡大鏡と、該拡大鏡の片面の外枠に取り付けられ、複数の発光ダイオードの点光源を設けた照明器具とをそれぞれ備え、該複数の発光ダイオードの点光源は、複数の設置角度で設けられ、該複数の発光ダイオードの点光源の各光軸は、拡大鏡中心軸の焦点近傍に指向させ、同じ設置角度の複数の発光ダイオードの点光源の各光軸の交点が該拡大鏡中心軸に位置し、該複数の設置角度毎に該交点の位置を異なるものとしたことを特徴とする拡大部を照明する装置。